(57)【特許請求の範囲】
【請求項１】
データを処理する方法であって、
第１のマルチメディア・データ形式のデータストリームを受信するステップと、
前記データストリームを受信した後に、第１の提供デバイスが、前記第１の提供デバイスに対して接続されている第２の提供デバイスが前記第１のマルチメディア・データ形式のデータを提供できるか否かを判定するステップと、を含み、
前記第１の提供デバイスは、外部のデバイスにデータを出力しなくても前記第１の提供デバイスにおいてユーザに対して前記第１のマルチメディア・データ形式のデータを提供することができ、
前記第２の提供デバイスが前記第１のマルチメディア・データ形式のデータを提供できないと判定されたことに応じて、前記第１の提供デバイスが、前記受信した第１のマルチメディア・データ形式のデータストリーム内に置換データ部分を挿入して、第２のマルチメディア・データ形式の修正されたデータストリームを生成するステップと、
前記第１の提供デバイスが、前記修正されたデータストリームを前記第２の提供デバイスに与えるステップと、を含み、
前記第２の提供デバイスは、前記修正されたデータストリームを前記第２のマルチメディア・データ形式で提供するように構成されており、
ユーザに対し、前記第１の提供デバイスが、前記受信した第１のマルチメディア・データ形式のデータストリームの一部を提供し、なおかつユーザに対し、前記第２の提供デバイスが、前記修正されたデータストリームにおいて前記一部に対応する部分を前記第２のマルチメディア・データ形式で提供するステップと、
を含むことを特徴とする方法。
【請求項２】
前記受信したデータストリームは映像部分及び音声部分を含み、
映像又は音声の前記置換データ部分により置き換えられる映像又は音声部分を除去するステップをさらに含むことを特徴とする、請求項１に記載の方法。
【請求項３】
映像の前記置換データ部分を生成するステップをさらに含み、
映像の前記置換データ部分を生成するステップは、前記受信したデータストリーム内に含まれる映像データの修正されたバージョンを生成するステップを含むことを特徴とする、請求項１に記載の方法。
【請求項４】
前記第１及び第２のマルチメディア・データ形式は、ＨＤＭＩ（登録商標）（High-Definition Multimedia Interface）又はディスプレイポート・データ形式であることを特徴とする、請求項１に記載の方法。
【請求項５】
前記第１のマルチメディア・データ形式は３次元映像形式であり、前記第２のマルチメディア・データ形式は２次元マルチメディア・データ形式であることを特徴とする、請求項１に記載の方法。
【請求項６】
前記第１のマルチメディア・データ形式と前記第２のマルチメディア・データ形式は、
色深度、クロック速度、又は画像解像度の点で異なることを特徴とする、請求項１に記載の方法。
【請求項７】
前記第１の提供デバイスは第１のディスプレイ装置を有し、
前記受信したデータストリームは映像を含み、
前記受信したデータストリームの前記一部を提供することは、前記第１のディスプレイ装置に前記受信したデータストリームに含まれる映像を表示することを含むことを特徴とする、請求項１に記載の方法。
【請求項８】
前記第２の提供デバイスは、２次元の映像を表示するように構成された第２のディスプレイ装置を有し、
前記第１のディスプレイ装置は、３次元の映像を表示するように構成されており、
前記受信したデータストリームは３次元形式のデータを含み、
前記修正されたデータストリームは２次元形式のデータを含み、
前記第１のディスプレイ装置に前記受信したデータストリームに含まれる映像を表示することは、前記受信したデータストリームに含まれる映像を３次元形式で表示することを含み、
前記第２の提供デバイスが前記修正されたデータストリームにおいて前記一部に対応する部分を提供することは、前記第２のディスプレイ装置において前記受信したデータストリームに含まれる映像を２次元形式で表示することを含むことを特徴とする請求項７に記載の方法。
【請求項９】
前記第１の提供デバイスは、映像を表示するように構成されており、
前記第２の提供デバイスは、音声を再生し、なおかつ映像を表示しないように構成されており、
前記第１の提供デバイスが前記受信したデータストリームの前記一部を提供することは、前記第１の提供デバイスにおいて映像を表示することを含み、
前記第２の提供デバイスが前記修正されたデータストリームにおいて前記一部に対応する部分を提供することは、前記第２の提供デバイスにおいて音声を再生することを含むことを特徴とする請求項１に記載の方法。
【請求項１０】
装置であって、
第１のマルチメディア・データ形式の第１のデータストリームを受信するように構成されているポートと、
前記第１のデータストリームを受信した後に、当該装置に対して通信可能に接続されている被接続デバイスが前記第１のマルチメディア・データ形式のデータを提供できるか否かを判定するポート要素と、を含み、
当該装置は、外部のデバイスにデータを出力しなくても当該装置においてユーザに対して前記第１のマルチメディア・データ形式のデータを提供することができ、
前記被接続デバイスが前記第１のマルチメディア・データ形式のデータを提供できないと判定されたことに応じて、前記第１のマルチメディア・データ形式の前記第１のデータストリーム内に置換データ部分を挿入して、第２のマルチメディア・データ形式の修正されたデータストリームを生成するハードウエアプロセッサと、
前記被接続デバイスに対して前記修正されたデータストリームを伝送するための送信機と、
前記第１のデータストリームの一部の表示を、前記被接続デバイスによって行われる前記修正されたデータストリームにおいて前記一部に対応する部分の提供と共に行うディスプレイ装置と、
含むことを特徴とする装置。
【請求項１１】
前記置換データ部分は、前記受信した第１のデータストリーム内の映像データの修正されたバージョンであることを特徴とする、請求項１０に記載の装置。
【請求項１２】
前記ディスプレイ装置及び送信機のためにデータストリームを選択するためのマルチプレクサをさらに備えることを特徴とする、請求項１０に記載の装置。
【請求項１３】
前記第１及び第２のマルチメディア・データ形式は、ＨＤＭＩ（登録商標）（High-Definition Multimedia Interface）又はディスプレイポート・データ形式であることを特徴とする、請求項１０に記載の装置。
【請求項１４】
前記第１のマルチメディア・データ形式は３次元映像形式であり、前記第２のマルチメディア・データ形式は２次元マルチメディア・データ形式であることを特徴とする、請求項１０に記載の装置。
【請求項１５】
前記第１のマルチメディア・データ形式と前記第２のマルチメディア・データ形式は、
色深度、クロック速度、又は画像解像度の点で異なることを特徴とする、請求項１０に記載の装置。
【請求項１６】
前記ポートは、取り付けられた音声データ・ソースからの音声データストリームを受信し、前記修正されたデータストリームは前記音声データストリームの音声データを含むことを特徴とする、請求項１０に記載の装置。
【請求項１７】
一連の命令を記録したコンピュータ読み取り可能な記録媒体であって、
前記一連の命令は、
第１のマルチメディア・データ形式のデータストリームを受信するステップと、
前記データストリームを受信した後に、第１の提供デバイスが、前記第１の提供デバイスに対して接続されている第２の提供デバイスが前記第１のマルチメディア・データ形式のデータを提供できるか否かを判定するステップと、を含む動作をプロセッサに実行させ、
前記第１の提供デバイスは、外部のデバイスにデータを出力しなくても前記第１の提供デバイスにおいてユーザに対して前記第１のマルチメディア・データ形式のデータを提供することができ、
前記第２の提供デバイスが前記第１のマルチメディア・データ形式のデータを提供できないと判定されたことに応じて、前記第１の提供デバイスが、前記受信した第１のマルチメディア・データ形式のデータストリーム内に置換データ部分を挿入して、第２のマルチメディア・データ形式の修正されたデータストリームを生成するステップと、
前記第１の提供デバイスが、前記修正されたデータストリームを前記第２の提供デバイスに与えるステップと、を含む動作をプロセッサに実行させ、
前記第２の提供デバイスは、前記修正されたデータストリームを前記第２のマルチメディア・データ形式で提供するように構成されており、
ユーザに対し、前記第１の提供デバイスが、前記受信した第１のマルチメディア・データ形式のデータストリームの一部を提供し、なおかつユーザに対し、前記第２の提供デバイスが、前記修正されたデータストリームにおいて前記一部に対応する部分を前記第２のマルチメディア・データ形式で提供するステップと、
を含む動作をプロセッサに実行させる、記録媒体。
【請求項１８】
前記受信したデータストリームは映像部分及び音声部分を含み、
映像又は音声の前記置換データ部分によって置き換えられる映像又は音声部分を除去することを含む動作をプロセッサに実行させるための命令をさらに記録した、請求項１７に記載の記録媒体。
【発明の詳細な説明】
【技術分野】
【０００１】
本発明の実施形態は、一般に、マルチメディア処理の分野に関し、より具体的には、接続デバイスにより使用するためにマルチメディア・データストリームを変換することに関する。
本出願は、２０１１年３月１５日出願の米国仮特許出願第６１／４５３，０７３号の優先権を主張するものであり、その全体が引用により本明細書に組み入れられる。
【背景技術】
【０００２】
映像、音声、及び他のデータを含むマルチメディア・データを種々の形式で伝送することができる。多くの従来の形式に加えて、より新しい形式は、テレビジョン又は他のディスプレイ上での３Ｄ映像の提示を可能にする３次元（３Ｄ）のマルチメディア映像及びサポートされた３００ＭＨｚ映像モードを用いて伝送されるデータを含む、高解像度マルチメディア・インターフェース仕様バージョン１．４ａ（２０１０年３月４日）によってサポートされているＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ、高解像度マルチメディア・インターフェース）形式と、ディープカラー（Ｄｅｅｐ  Ｃｏｌｏｒ、ピクセル当たり３０又はそれより多いビットで表される色を指す）を含む、高解像度マルチメディア・インターフェース仕様バージョン１．３（２００６年６月２２日）によってサポートされる形式とを含むことができる。
【０００３】
しかしながら、そうしたマルチメディア・データ形式を用いる、テレビジョン・ユニットなどの提示デバイスは、該提示デバイスを介してマルチメディア・データを受信する１つ又はそれ以上の下流接続デバイス又はシステム（本明細書では、一般に、接続デバイスと呼ばれる）に接続され得る。そうした接続デバイスは、新しい信号形式に対応（適合）するように設計されていないため、提示デバイスが受信する新しいマルチメディア信号形式に対応できない、既存のＨＤＭＩ接続デバイスを含むインストール済みのデバイス又は従来のデバイスを含むことがある。
【０００４】
このマルチメディア信号形式の非適合性（ｉｎｃｏｍｐａｔｉｂｉｌｉｔｙ）のために、マルチメディア信号の音声部分を利用するデバイスなど、信号の一部を利用できるデバイスは、一般に、マルチメディア信号全体を拒絶する。例えば、従来のＨＤＭＩデバイスは３Ｄ信号形式を認識しないので、マルチメディア信号の音声部分の提示のために使用される従来のＨＤＭＩ対応デバイスは、３Ｄ  ＨＤＭＩ信号を拒絶する。
【発明の概要】
【０００５】
本発明の実施形態は、一般に、接続デバイスにより使用するためのマルチメディア・データストリームの変換に向けられる。
【０００６】
本発明の第１の態様において、データを処理するための方法が、第１のデバイスにおいて、第１のマルチメディア・データ形式のデータストリームを受信するステップと、受信したデータストリームに置換データ部分を挿入して第２のマルチメディア・データ形式の修正されたマルチメディア・データストリームを生成するステップとを含む。修正されたデータストリームは、第１のデバイスに結合された第２のデバイスに与えられる。
【０００７】
本発明の第２の態様において、装置が、第１のマルチメディア・データ形式の第１のデータストリームの受信を含む、マルチメディア・データの受信のための１つ又はそれ以上のポートを含む。この装置は、提示のために第１のデータストリームを伝送するための第１の送信機と、第２のデータストリームを接続デバイスに伝送するための第２の送信機とを含み、第２のデータストリームは受信した第１のデータストリーム、又は第２のマルチメディア・データ形式の、受信した第１のデータストリームに修正されたバージョンであり、装置は修正されたデータストリームを生成し、修正されたデータストリームの生成は、受信したデータストリームに置換データ部分を挿入するステップを含む。
【０００８】
本発明の実施形態は、同様の参照数字が類似の要素を指す添付図面において、限定のためではなく一例として示される。
【図面の簡単な説明】
【０００９】
【図１】マルチメディア・データストリーム形式の変換のためのシステムの図である。
【図２】接続デバイスによる使用のためにマルチメディア・データストリーム形式を変換する１つの実施形態を示す。
【図３】接続デバイスによる使用のためにマルチメディア・データストリームのデータ形式を変換するためのシステムの１つの実施形態を示す。
【図４】接続デバイスによる使用のためにマルチメディア・データストリームのデータ形式を変換するためのシステムの１つの実施形態を示す。
【図５】接続デバイスによる使用のためにマルチメディア・データストリームを変換する１つの実施形態を示す。
【図６】マルチメディア・データを変換するプロセスの１つの実施形態を示すフローチャートである。
【発明を実施するための形態】
【００１０】
本発明の実施形態は、一般に、接続デバイスにより使用するためにマルチメディア・データストリームを変換することに向けられる。
【００１１】
幾つかの実施形態において、方法、装置、又はシステムが、データストリームを受信するステップと、受信したデータストリームの形式に対応しない接続デバイスに適合するように、データストリームを修正するステップとを提供する。幾つかの実施形態において、装置、システム、又は方法は、第１のマルチメディア・データ形式の入力データストリームを受信し、置換データ部分を挿入して接続デバイスによる利用のために第２のマルチメディア・データ形式の第２のデータストリームを生成するように動作する。幾つかの実施形態において、置換データ部分は、映像、音声、制御、メタデータ、又は他のデータ部分とすることができる。
【００１２】
幾つかの実施形態において、第１のマルチメディア・データ形式のデータストリームを受信する装置又はシステムが、接続デバイスの性能を検知し、装置及びシステムは、接続デバイスが第１のマルチメディア・データ形式に対応できる場合には、受信したデータストリームを接続デバイスに与え、接続デバイスが第１のマルチメディア・データ形式に対応できない場合には第２のマルチメディア・データ形式の修正されたデータストリームを与える。
【００１３】
幾つかの実施形態において、第１のマルチメディア・データ形式のデータストリームを受信する装置又はシステムが、置換データ部分を受信したデータストリームに挿入し、第２のマルチメディア・データ形式の修正されたデータストリームを生成する。
【００１４】
幾つかの実施形態において、装置又はシステムは、修正されたデータストリームの生成において、受信したデータストリームのデータ部分と置き換えるための置換データを生成する。幾つかの実施形態において、生成されるデータは、第１のマルチメディア・データ形式のデータに対応できないデバイスによる第２のデータストリームへの対応を可能にするように生成されるダミー・データである。一例において、生成されるデータは、いずれの意味ももたない又は受信したデータストリームと関係のない生成された映像部分である。
【００１５】
一例において、ＨＤＭＩ処理要素は、ポート・プロセッサ又は他のタイプのデバイス又はシステムとすることができ、１つ又はそれ以上のＨＤＭＩ受信ポート及び１つ又はそれ以上のＨＤＭＩ送信ポートを有する。動作の際、選択された受信及び送信ポートが、特定の選択されたＨＤＭＩデータストリームを処理するために使用される。幾つかの実施形態において、デバイスは、ある特定の第１のマルチメディア・データ形式のデータを受入れ、そのデータを、第１のマルチメディア・データ形式に対応しない接続シンク・デバイスが対応する形式に変換する。例えば、ＨＤＭＩポート・プロセッサは、１つ又はそれ以上の最新のＨＤＭＩデータ形式に対応し、受信したデータを、接続された従来のＨＤＭＩシンク・デバイスが対応できるデータ形式に変換するように動作可能である。付加的な例において、ディスプレイポート（ＤｉｓｐｌａｙＰｏｒｔ）は、方法の実施形態に適用できる別のインターフェース規格である。
【００１６】
データストリームを受信するテレビジョンのようなデバイスを、データストリームを利用できる別のデバイス（接続デバイスと呼ぶことができる）に接続することができる。接続デバイスは、信号の音声部分を再生するためのサウンド・バー、別のテレビジョン・ユニット、ＡＶ（音声映像）受信機、又はマルチメディア・データを利用する他のデバイスのようなデバイスとすることができる。幾つかの実施形態において、ポート・プロセッサ又はファームウェア制御下の他の処理要素を有し、３Ｄマルチメディア・データストリームを受信する、３Ｄテレビジョンのような装置又はシステムは、接続シンク・デバイスの性能に関するデータにアクセスして、どのマルチメディア・データ形式が接続デバイスに送られるかを判断することができる。一例において、装置又はシステムのファームウェアは、接続デバイス内のＥＤＩＤ（拡張ディスプレイ識別データ（Ｅｘｔｅｎｄｅｄ  Ｄｉｓｐｌａｙ  Ｉｄｅｎｔｉｆｉｃａｔｉｏｎ  Ｄａｔａ）、これは同じくＥ−ＥＤＩＤ、すなわち強化拡張ディスプレイ識別データ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）を含むこともできる）にアクセスすることができる。幾つかの実施形態において、装置又はシステムは、ＥＤＩＤを読み出して接続デバイスの３Ｄ性能を判断し、その知識を用いて、接続デバイスに送られるデータの性質を判断する。
【００１７】
幾つかの実施形態において、装置又はシステムが３Ｄマルチメディア・データストリームを受信し、接続デバイスが３Ｄ対応であると判断する場合、装置又はシステムは未修正の３Ｄ  ＨＤＭＩストリームを３Ｄ対応接続デバイスに送り、同時にそれ自体の内部パネル上に３Ｄ画像を表示する。幾つかの実施形態において、装置又はシステムが、接続デバイスが３Ｄ対応ではないと判断する場合、装置又はシステムは、２Ｄ（２次元）ＨＤＭＩストリームに、変換された３Ｄデータストリームのような修正されたデータストリームを３Ｄ非対応接続デバイスに送り、同時にそれ自体の内部パネル上に３Ｄ画像を表示する。
【００１８】
幾つかの実施形態において、装置又はシステムは、データストリームの音声信号を再生するのに使用される接続デバイスに接続され、従って、接続デバイスは、データストリームの映像部分を使用する必要がない。幾つかの実施形態において、接続デバイスがデータストリームのオリジナルの形式に対応できないとき、装置又はシステムは、接続デバイスによる使用を可能にするために、依然として未変更の音声及び他の埋め込まれた情報を搬送しながら、データストリームの映像部分だけを変えるようにデータストリームを変換する。
【００１９】
一例において、デジタル音声及びデジタル映像（ＨＤＭＩデータのような）を、ケーブル接続が単一のＨＤＭＩケーブルである、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）リンク上に符号化することができる。ＨＤＭＩケーブルは、ディスプレイ・データ・チャネル（Ｄｉｓｐｌａｙ  Ｄａｔa  Ｃｈａｎｅｌ、ＤＤＣ）をさらに含み、このＤＤＣは、Ｉ2Ｃ（集積回路間）コンピュータ・バス仕様に基づく通信チャネルである。ＨＤＭＩは、ＨＤＭＩソース装置又はシステムにより、接続ＨＤＭＩシンク・デバイスからＥＤＩＤデータを読み出して、接続デバイスがどの音声／映像形式をサポートするかを判断するのに使用される、拡張ディスプレイ・データ・チャネル（Ｅ−ＤＤＣ）を含む。幾つかの実施形態において、テレビジョンの映像性能を示しながら、テレビジョンのＥＤＩＤを、接続デバイスの音声性能に適合させるように変更することができる。
【００２０】
幾つかの実施形態において、システム又は装置は、高速ビデオ速度（１４ＭＨｚから＞３００ＭＨｚ）デジタル論理を用いてデジタル符号化されたメディア・ストリームをデジタル音声データとデジタル映像データに分離し、映像データを、制限された映像規格適合性をもつデバイス（例えば、３Ｄ動作、ディープカラーの利用、又は１５０ＭＨｚより速い動作ができない従来のＨＤＭＩデバイスなど）についてのメディア規格に適合する生成された映像搬送波と置き換えることができる。
【００２１】
幾つかの実施形態において、装置又はシステムは、オリジナルの形式のデータストリームを受信できない接続デバイスについての修正されたデータストリーム内に挿入するための置換データストリームを生成するデータ生成プログラムを含む。データ生成プログラムは、種々の実施形態において、動作の必要性に応じて変更することができる。置き換えられた映像データの一例においては、例えば、前方へのマルチメディア信号の音声部分が接続デバイスによって利用される唯一の部分であるために映像データ部分が重要でない場合、映像データ生成プログラムは、静的テスト・パターンのような簡単なものとすることができる。幾つかの実施形態において、マルチメディア・データストリームの置き換えられるデータ部分が利用される場合、データ生成プログラムは、より複雑になり得る。例えば、映像データ・プロセッサは、３Ｄから２Ｄへのフルモーション画像変換のためのプロセッサ、又は、１０８０Ｐへの４ｋ×２ｋ解像度の変換、若しくはディープカラーから標準色への変換のための映像プロセッサを含むことができる。幾つかの実施形態において、ＨＤＭＩデータストリームの音声又は他の埋め込まれたＨＤＭＩデータなどの、受信したマルチメディア・データストリームのうちの１つ又はそれ以上の他の部分が保持され、生成された映像と共に接続ＨＤＭＩデバイスに搬送される。
【００２２】
幾つかの実施形態において、デバイスは、データを搬送するために２つの送信機を使用するポート・デバイス又はシステムで実施することができる。例えば、第１の送信機は、ＨＤＭＩ１．４ａ又は表示のための他の将来の映像形式を提供するためのＨＤＭＩインターフェースとして動作し、第２の送信機は、音声を、従来のサウンド・バー若しくはＡＶ受信機などの従来のデバイス、又はテレビジョン若しくはＨＤＭＩ信号を受信するマルチメディア・デバイスに伝えるためのＨＤＭＩインターフェースとして動作することができる。
【００２３】
幾つかの実施形態において、ポート・デバイス又はシステムは、外部音声ソースを受信したＨＤＭＩストリームに挿入するのをさらに可能にする。幾つかの実施形態において、ＨＤＭＩデータストリームなどのマルチメディア・データストリームを受信するデバイス又はシステムは、別の音声ソースからの音声の受け入れを可能にし、この音声を、選択されたＨＤＭＩソース・ストリームの音声の代わりに又は内部生成ＨＤＭＩソース上に挿入する。幾つかの実施形態において、デバイス又はシステムは、ＨＤＭＩインターフェースとして第２の送信機を使用し、例えば、テレビジョンがＨＤＭＩソースを使用していないとき（テレビジョンが地上波チューナ又は外部媒体入力から受信したデータを提示するときなど）、音声をサウンド・バーに伝えることができる。幾つかの実施形態において、デバイス又はシステムは、サウンド・バー又はＡＶ受信機などの接続デバイスがＨＤＭＩ送信機を介して音声を受信するのを可能にするが、デバイス又はシステムが利用できるＨＤＭＩソースは、テレビジョンが現在提示しているメディアではない。幾つかの実施形態において、デバイス又はシステムは、選択された音声ソースが、テレビジョン又は他の提示デバイスにおいて内部で使用されるのをさらに可能にする。
【００２４】
図１は、マルチメディア・データストリーム形式の変換のためのシステムの図である。この図において、マルチメディア・データの提示又は他の使用のためのテレビジョン受信機又は他の装置若しくはシステムを含むことができる、提示デバイス１００が、１又はそれ以上のマルチメディア・データストリーム１５０を受信する。提示デバイス１００は、マルチメディア・データストリームの１つを利用又は選択し、ここで選択されたマルチメディア・データストリームは第１のデータ形式であり、第１のデータ形式は、第２のデータ形式と比べて、より新しいデータ形式とすることができる。さらに、提示デバイス１００は、１つ又はそれ以上のデバイスに接続することができ、ここで接続デバイス１３０は、第２のデータ形式のマルチメディア・データを利用することができるが、第１のデータ形式に対応することができない従来の装置又はシステムとすることができる。接続デバイスは、例えば、サウンド・バー、ＡＶ受信機、テレビジョン、又は他の類似のマルチメディア装置又はシステムなどのデバイスとすることができる。
【００２５】
幾つかの実施形態において、提示デバイス１００はマルチメディア・データ・プロセッサ装置又はシステム１１０を含むことができ、ここでプロセッサは、マルチメディア・データストリーム１５０を受信し、そのオリジナルの形式（第１のデータ形式）のデータストリームを、データ・デバイス１２０として示される提示又は他の使用のための要素（マルチメディア・データストリームの映像部分を提示するためのディスプレイなど）に与え、置き換えられるデータ部分１２５（第２のデータ形式の）を有する修正されたデータストリームを接続デバイス１３０に与えるように動作可能である。例えば、処理装置又はシステム１１０は、ディスプレイ上に、データストリーム１１５からの３Ｄ映像コンテンツを提示することができる。この例において、接続デバイス１３０は、受信したマルチメディア・データストリーム１５０の音声部分の提示のためのデバイスとすることができるが、接続デバイス１３０は、３Ｄデータ形式のマルチメディア・データを処理することができず、従って、データ・デバイス１２０に与えられたデータストリームから音声データを取得することができない。この特定の例は、接続音声デバイスによるデータ使用のための映像データの置換を含むが、実施形態は、接続デバイスの使用のために、受信したデータストリームの任意のデータ部分を置き換えることを含むことができる。
【００２６】
幾つかの実施形態において、マルチメディア・データ・プロセッサ１１０は、３Ｄデータ形式のマルチメディア・データストリームを受信し、データストリーム１１５をデータ・デバイス１２０に与えることに加えて、置換データ要素を生成又は取得し、オリジナルの３Ｄ映像データの代わりに置換映像データストリームを挿入し、置き換えられた映像部分を有する生成されたデータストリーム１２５を接続デバイス１３０に与える。この例において、接続デバイス１３０は、生成されたデータストリーム１２５を処理することができ、例えば、提示のために、生成されたデータストリーム１２５から音声データ部分を取得することができる。
【００２７】
図２は、接続デバイスによる使用のための、マルチメディア・データストリーム形式の変換の実施形態を示す。この図において、マルチメディア・データ・ソース・デバイス２１０は、第１のＨＤＭＩ対応ケーブル２１５のようなケーブルにより、テレビジョン又は他の提示デバイス２３０と結合される。ソース・デバイス２１０は、例えば、ＤＶＤ又はプルーレイ・プレーヤ、又はケーブルを収容するセットトップボックス、衛星、又は他のデータ・ソースとすることができる。テレビジョン２３０はさらに、第２のＨＤＭＩ対応ケーブル２３５によって接続シンク・デバイス２５０と結合される。図示するように、ケーブル２１５及び２３５は、ＤＤＣ（ディスプレイ・データ・チャネル）通信を含む。接続デバイスは、例えば、別のテレビジョン、サウンド・バー、又はＡＶ受信機とすることができる。この例において、ソース・デバイス２１０及びテレビジョン２３０は、３Ｄ対応とすることができるが、接続デバイス２５０は３Ｄ対応ではない。この図はケーブル２１５及び２３５による接続をもたらすが、実施形態は、いずれかの特定の種類の接続に限定されるものではない。幾つかの実施形態において、デバイスは無線送信機及び受信機を含むことができ、かつ、１つ又はそれ以上の無線リンク（又は無線リンクと有線リンクの混合）により接続することができ、無線リンクは、ソース・デバイス２１０とテレビジョン２３０との間の第１の無線リンク２７０、及び、テレビジョン２３０と接続デバイス２５０の間の第２の無線リンク２７５として示される。
【００２８】
幾つかの実施形態において、ソース・デバイス２１０は、ＨＤＭＩケーブル２１５を介して、ＨＤＭＩバージョン１．４ａの下の３Ｄデータストリーム２２０のようなＨＤＭＩデータストリームをテレビジョン２３０に与える。テレビジョン２３０は、表示スクリーン上への３Ｄ映像データの提示を含めて、３Ｄデータを利用することができる。
【００２９】
しかしながら、テレビジョン２３０は、３Ｄデータを利用することができない非３Ｄシンク・デバイス２５０と接続されている。幾つかの実施形態において、テレビジョン２３０は、接続デバイス２５０のデータ形式機能を検知するように動作する。幾つかの実施形態において、ソース・デバイス２１０が、テレビジョンから受け取ったＥＤＩＤを用いて、テレビジョン２３０が３Ｄ対応テレビジョンであると判断することに加えて、テレビジョン２３０は、接続デバイス２５０から受信したＥＤＩＤを用いて、接続デバイスが３Ｄ対応でないと判断することができる。幾つかの実施形態において、接続デバイス２５０の３Ｄ能力の欠如を検知することに応答して、テレビジョンは、映像ストリームを除去し、除去されたデータストリームを、ダミー２Ｄ映像ストリームのような２Ｄ映像ストリームと置き換えるように、受信した３Ｄ  ＨＤＭＩデータストリームを修正し、修正したＨＤＭＩデータストリーム２４０を接続デバイス２５０に伝送する。次に、２Ｄ対応接続デバイス２５０は、受信した２Ｄ  ＨＤＭＩデータストリーム２４０を受け入れ、利用することができ、かつ、例えば、２Ｄデータストリーム２４０の音声部分を利用して、テレビジョン２３０が提示する３Ｄ映像に付随させるように音声部分をもたらすことができる。
【００３０】
図３は、接続デバイスにより使用するためにマルチメディア・データストリームのデータ形式を変換するためのシステムの実施形態を示す。この示される例において、１つ又はそれ以上のＨＤＭＩソース・デバイス３０５が、ＨＤＭＩ受信デバイス３１０と結合される。この図において、受信デバイスはテレビジョン又は他のマルチメディア提示デバイス３１０であるが、実施形態は、例えばＡ／Ｖ受信機又は他のデバイスを含む、マルチメディア・データを受信し処理することができる任意のデバイスを含むことができる。テレビジョン３１０は、サウンド・バー又はＡ／Ｖ受信機３６０のような１つ又はそれ以上の他のマルチメディア・デバイス３６０と結合することができる。図３及び図４、並びに関連する議論は、一般に、一例としてサウンド・バー又はＡ／Ｖ受信機に言及するが、実施形態は、そうしたデバイスに限定されるものではなく、１つ又はそれ以上の結合されたマルチメディア・デバイスは、テレビジョン又は他のマルチメディア・デバイスをさらに含むことができる。
【００３１】
幾つかの実施形態において、テレビジョン３１０は、接続ＨＤＭＩ０、ＨＤＭＩ１、ＨＤＭＩ２、ＨＤＭＩ３及びＨＤＭＩ４として図３に示される、ＨＤＭＩデバイス３０５からのＨＤＭＩデータの受信及び処理を含む、マルチメディア・データを受信し、処理するように動作するポート要素３１５（例えば、ポート・プロセッサを含む、デバイス、チップ、又はシステムとすることができる）を含む。この図において、ポート要素３１５は、複数のＨＤＭＩ受信機３２０（この図中の受信機ＨＤＭＩＲｘ０からＨＤＭＩＲｘ４までを含む）として示される、マルチメディア・データの受信のための受信機を含む。幾つかの実施形態においては、ポート要素３１５は、ＨＤＭＩ入力データストリーム、並びに内部生成ＨＤＭＩソース３２５の出力を受信するマルチプレクサ３３０をさらに含む。
【００３２】
幾つかの実施形態において、ポート要素３１５は送信機３３２を含み、この図中の送信機は、ＨＤＭＩ  Ｔｘ１  ３３５及びＨＤＭＩ  Ｔｘ２  ３４０として示される少なくとも２つのＨＤＭＩ送信機を含み、ここでＨＤＭＩ  Ｔｘ１  ３３５は、例えばディスプレイ・パネル３５５上で提示するための他のテレビジョン・コンポーネント３５０（映像データを処理するための一般的に知られているコンポーネントを含む）への、マルチプレクサ３３０によって選択されるＨＤＭＩマルチメディア・データストリームを表す。幾つかの実施形態において、ＨＤＭＩ  Ｔｘ２  ３４０は、ＨＤＭＩデータストリームをサウンド・バー又はＡ／Ｖ受信機３６０に与えるように動作する。
【００３３】
動作中、ＨＤＭＩソース・デバイス３０５は、第１のデータ形式のデータストリーム（３Ｄ  ＨＤＭＩデータストリームなど）を与えることができる。この図において、テレビジョン３１０は第１のマルチメディア・データ形式に対応するが、サウンド・バー又はＡ／Ｖ受信機３６０は、第１のマルチメディア・データ形式に対応しない。しかしながら、サウンド・バー又はＡ／Ｖ受信機３６０は第２のマルチメディア・データ形式に対応し、ここで第２のデータ形式は、従来のマルチメディア形式（例えば、２Ｄ  ＨＤＭＩデータストリーム）とすることができる。幾つかの実施形態において、ポート要素３１５は、接続デバイスのデータ機能を検知するように動作する。幾つかの実施形態において、ポート要素３１５は、第１のマルチメディア・データ形式のマルチメディア・データストリームを第２のマルチメディア・データ形式のデータストリームに変換するように動作する。幾つかの実施形態において、ポート要素３１５は、受信したマルチメディア・データストリームの映像データ部分を、内部生成ＨＤＭＩソース３２５によって生成される映像データストリームのような置換映像データで置き換えるように動作する。幾つかの実施形態において、生成される映像データは、実際上の意味が無い又は受信したデータストリームのコンテンツに関係のないダミー・データであり、他方、他の実施形態においては、生成される映像データは、２Ｄ形式に変換されたデータとすることができる。第２のマルチメディア・データ形式のデータを受信すると、サウンド・バー又はＡ／Ｖ受信機３６０は、ディスプレイ・パネル上へのテレビジョン３１０による映像データの提示に付随する音声データの提示のためにこうしたデータを使用すること、並びに、変換された（ダミーではない）映像３５５の場合に映像を使用することなど、受信したデータを利用することができる。
【００３４】
図４は、接続デバイスによる使用のためにマルチメディア・データストリームのデータ形式を変換するシステムの実施形態を示す。図３に示される要素に加えて、テレビジョンはさらに、他の音声又は映像ソース４６５のような他のマルチメディア要素と結合することができ、ここでマルチメディア・データは、例えば、テレビジョン３１０の他のコンポーネント３５０によって受信される。幾つかの実施形態において、他の音声又は映像ソースから受信したデータは非ＨＤＭＩデータであり、テレビジョンは、非ＨＤＭＩデータを、ＨＤＭＩ接続されたサウンド・バー又はＡＶ受信機３６０により使用可能なる形式に変換するように動作する。
【００３５】
幾つかの実施形態において、テレビジョン・コンポーネント３５０は、他の音声又は映像ソース４６５からの受信したデジタル音声データを、Ｓ／ＰＤＩＦ（Ｓｏｎｙ／Ｐｈｉｌｉｐｓ  Ｄｉｇｉｔａｌ  Ｉｎｔｅｒｃｏｎｎｅｃｔ  Ｆｏｒｍａｔ、ソニー／フィリップス・デジタル相互接続形式）又はＳ／ＰＤＩＦの他のコンポーネントのＩ２Ｓ（ＩＣ間サウンド又は集積チップ間サウンド）（Ｉ2Ｓとも呼ばれる）インターフェース４７０、又は、ポート要素３１５の１２Ｓインターフェース４７５などを介して、ポート要素３１５に与えることができる。幾つかの実施形態において、テレビジョン・コンポーネント３５０はまた、他の音声又は映像ソース４６５からの受信した映像データ信号をポート要素３１５に与えることもできる。図４に示されるように、そうした映像信号は、ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎ  Ｓｅｃｔｏｒ、国際電気通信連合無線通信部門）ＢＴ．６０１／６５６（ＩＴＵ６０１又はＩＴＵ６５６とも呼ばれる）映像、ＨＤＭＩ映像、ディスプレイポート（ＤｉｓｐｌａｙＰｏｒｔ）映像、及びアナログ映像などのデータを含むことができる。
【００３６】
幾つかの実施形態においては、ＨＤＭＩ  Ｔｘ２送信機３４０において、他の音声又は映像ソース４６５から受信した音声データを、内部生成ＨＤＭＩソース３２５からの生成された映像データと混合して、サウンド・バー又はＡ／Ｖ受信機３６０によって使用可能な形式のＨＤＭＩデータストリームを生成することができ、それにより、ＨＤＭＩ接続サウンド・バー又はＡ／Ｖ受信機３６０を介して他のソースからの音声データを提示することが可能になる。幾つかの実施形態において、デバイス３０５のオリジナルのＨＤＭＩストリーム上に音声データを挿入することもできる。幾つかの実施形態において、他のテレビジョン・コンポーネント３５０はまた、映像データをポート要素３１５に与えることができ、その映像を用いて、デバイス３０５のＨＤＭＩストリームからの映像を置き換えることができる。
【００３７】
図５は、接続デバイスによる使用のための、マルチメディア・データストリームの変換の実施形態を示す。幾つかの実施形態において、マルチメディア・データストリーム（映像、音声、及び他のデータを含むことができる）５０５は、メディア受信機５１０によって受信され、ここで、メディア受信機５１０は、データストリーム５０５（３Ｄ形式のような第１のマルチメディア・データ形式とすることができる）のデータ要素（例えば、映像データ要素など）５１５を除去し、他方、他のデータ要素（例えば、音声データなど）５２０を保持する。幾つかの実施形態において、制御データ又はメタデータ要素などの他のデータ要素を保持することもできる。
【００３８】
幾つかの実施形態において、保持されたデータ５２０は、メディア送信機５３５によって受信され、ここでメディア送信機５３５はまた、データ生成プログラム５２５から置換データ５３０（例えば、２Ｄ形式などの第２のマルチメディア・データ形式とすることができる）を受信する。幾つかの実施形態において、メディア送信機は、生成されたデータ５３０、及びオリジナルのマルチメディア・データ５０５からの保持されたデータを使用して修正されたメディア・データ（映像、音声、及び他のデータを含むことができる）５４０を生成し、ここでそうしたデータは、第２のマルチメディア・データ形式のものである。
【００３９】
幾つかの実施形態において、メディア送信機はまた、他のマルチメディア・データ５４５（例えば、付加的な音声データなど）を受信することもできる。幾つかの実施形態において、メディア送信機は、メディア・データ５４０の生成において、例えば非ＨＤＭＩデータとすることができる他のマルチメディア・データ５４５を用いることができ、それにより、ＨＤＭＩインターフェースにより接続された接続デバイスによるデータストリームの使用が可能になる。この例は、例証のためにＨＤＭＩに言及するが、実施形態は。いずれの特定のデータ・インターフェースにも限定されるものではなく、かつ、ディスプレイポート及び他の類似のマルチメディア・インターフェースを含む、データの伝送のための任意の有線又は無線インターフェースを使用することができる。
【００４０】
図６は、マルチメディア・データの変換のためのプロセスの実施形態を示すフローチャートである。この図において、第１のデバイス（例えば、テレビジョン若しくは他の映像提示デバイス、又は受信データを受信し処理することができる他のデバイスとすることができる）において、第１のマルチメディア・データ形式（例えば、ＨＤＭＩ  ３Ｄ形式など）のマルチメディア・データストリーム（例えば、映像データ、音声データ、制御データ及びメタデータを含む）を受信することができ、ここで、第１のデバイスは、第２のデバイス（例えば、サウンド・バー又はＡ／Ｖ受信機などの音声提示デバイスとすることができ、又は、テレビジョンのような受信データ受信し処理することができる別のデバイスとすることができる）と結合される（６０２）。幾つかの実施形態において、第２のデバイスのデータ・タイプ機能が、第１のデバイスの要素による検知のように検知される（６０４）
【００４１】
幾つかの実施形態において、第２のデバイスが第１のマルチメディア・データ形式に対応するかどうかの判断がなされる（６０６）。第２のデバイスが第１のマルチメディア・データ形式に対応する場合、マルチメディア・データストリームは、第１のマルチメディア・データ形式で、第１のデバイスの提示要素及び第２のデバイスに提供される（６０８）。第２のデバイスが第１のマルチメディア・データ形式に対応しない場合、マルチメディア・データストリームに関する置換データが取得又は生成され（６１０）、置換データがマルチメディア・データストリームのコピーに挿入され、第２のマルチメディア・データ形式（例えば、２Ｄ  ＨＤＭＩデータ形式のような）の変換されたデータストリームを生成する（６１２）。幾つかの実施形態において、第１のマルチメディア・データ形式のマルチメディア・データストリームが、例えば、第１のデバイスの提示要素に与えられ、第２のマルチメディア・データ形式の変換されたマルチメディア・データストリームが第２のデバイスに与えられる（６１４）。
【００４２】
幾つかの実施形態において、初めに受信したマルチメディア・データストリームは、第１のデバイス上にマルチメディア・ストリームの第１の部分（オリジナルの映像データなど）を提示し、第２のデバイス上にマルチメディア・ストリームの第２の部分（オリジナルの音声データなど）を提示するように、第１のデバイス及び第２のデバイスを用いて提示することができる（６１６）。しかしながら、実施形態は、デバイスによるマルチメディア・データストリームのいずれの特定の使用にも限定されるものではない。
【００４３】
上記の記述においては、説明のために、本発明の完全な理解を与えるように、多くの特定の細部が説明されている。しかしながら、本発明はこれらの特定の細部の一部なしに実施できることが当業者には明らかであろう。他の例では、周知の構造体及びデバイスが、ブロック図の形で示される。図示されるコンポーネントの間に、中間構造体が存在してもよい。本明細書で説明又は図示されるコンポーネントは、図示又は説明されていない付加的な入力又は出力を有することができる。図示される要素又はコンポーネントを、いずれの領域の再順序付け又は領域サイズの修正を含む、異なる配置又は順序に構成することもできる。
【００４４】
本発明は種々のプロセスを含むことができる。本発明のプロセスは、ハードウェア・コンポーネントによって実行することができ、又は、コンピュータ可読命令の形で具体化することができ、このコンピュータ可読命令を用いて、汎用プロセッサ若しくは専用プロセッサ、又は命令をプログラミングした論理回路にプロセスを実行させることができる。代替的に、プロセスは、ハードウェアとソフトウェアの組み合わせによって実施することができる。
【００４５】
本発明の部分は、コンピュータ・プログラム製品として提供することができ、このコンピュータ・プログラム製品は、その上にコンピュータ・プログラム命令が格納されたコンピュータ可読記憶媒体を含むことができ、コンピュータ・プログラム命令を用いて、本発明によるプロセスを実施するように、コンピュータ（又は他の電子デバイス）をプログラムすることができる。コンピュータ可読記憶媒体としては、これらに限定されるものではないが、フロッピー・ディスケット、光ディスク、ＣＤ−ＲＯＭ（コンパクト・ディスク読出し専用メモリ）、光磁気ディスク、ＲＯＭ（読出し専用メモリ）、ＲＡＭ（ランダム・アクセス・メモリ）、ＥＰＲＯＭ（消去可能プログラム可能読出し専用メモリ）、ＥＥＰＲＯＭ（消去可能プログラム可能読出し専用メモリ）、磁気又は光カード、フラッシュ・メモリ、又は、電子命令を格納するのに適した他のタイプの媒体／コンピュータ可読媒体を挙げることができる。さらに、本発明はまた、コンピュータ・プログラム製品としてダウンロードすることもでき、その場合、プログラムは遠隔コンピュータから要求中のコンピュータに転送することができる。
【００４６】
方法の多くは、その最も基本的な形態で説明されるが、本発明の基本的な範囲から逸脱することなく、方法のいずれかにプロセスを付加すること、又はこれらからプロセスを取り去ることができ、さらに、記述されたメッセージのいずれかに情報を付加すること、又はそれから情報を取り去ることができる。多くの更に別の修正及び適合を成し得ることが当業者には明らかであろう。特定の実施形態は、本発明を限定するためではなく、本発明を例証するために与えられたものである。
【００４７】
要素「Ａ」が要素「Ｂ」に又はこれと結合されるといわれる場合、要素Ａは、要素Ｂに直接結合されても、又は、例えば要素Ｃを通して間接的に結合されてもよい。本明細書が、コンポーネント、特徴、構造体、プロセス、又は特性Ａが、コンポーネント、特徴、構造体、プロセス、又は特性Ｂを「生じさせる」と記述するとき、これは「Ａ」が「Ｂ」の少なくとも部分的な原因であるが、「Ｂ」を生じさせるのを助ける少なくとも１つの他のコンポーネント、特徴、構造体、プロセス、又は特性も存在し得ることを意味する。本明細書が、コンポーネント、特徴、構造体、プロセス、又は特性を「含んでもよい」、「含むことがある」、又は「含むことができる」と表明する場合、その特定のコンポーネント、特徴、構造体、プロセス、又は特性が含まれる必要はない。本明細書が「１つの（「ａ」又は「ａｎ」）」要素について言及する場合、説明される要素の１つだけが存在することを意味するものではない。
【００４８】
実施形態は、本発明の実施又は例である。本明細書における「１つの実施形態」、「一実施形態」、「幾つかの実施形態」又は「他の実施形態」についての言及は、その実施形態に関連して説明される特定の特徴、構造体、又は特性が、少なくとも幾つかの実施形態に含まれるが、必ずしも全ての実施形態には含まれないことを意味する。「１つの実施形態」、「一実施形態」又は「幾つかの実施形態」の様々の出現は、必ずしも全てが同じ実施形態に言及するものではない。本発明の例示的な実施形態の前述の説明において、本開示を簡素化するため、及び、種々の本発明の態様の１つ又はそれ以上の理解を助けるために、単一の実施形態、図面、又はそれらの説明において、本発明の種々の特徴がまとめられることもあることを理解すべきである。
【００４９】
幾つかの実施形態において、データを処理するための方法が、第１のデバイスにおいて、第１のマルチメディア・データ形式のデータストリームを受信するステップと、受信したデータストリームに置換データ部分を挿入して第２のマルチメディア・データ形式の修正されたマルチメディア・データストリームを生成するステップと、修正されたマルチメディア・データストリームを、第１のデバイスに結合された第２のデバイスに与えるステップとを含む。
【００５０】
幾つかの実施形態において、受信したデータストリームは映像部分と音声部分とを含み、本方法は、置換映像又は音声データ部分で置き換えられる映像又は音声部分を除去するステップをさらに含む。
【００５１】
幾つかの実施形態において、本方法は、置換データ部分を生成するステップをさらに含む。幾つかの実施形態において、置換データ部分を生成するステップは、ダミー・データを生成するステップを含む。幾つかの実施形態において、置換映像データ部分を生成するステップは、受信したデータストリーム内に含まれる映像データの修正されたバージョンを生成するステップを含む。
【００５２】
幾つかの実施形態において、本方法は、第２のデバイスが第１のマルチメディア・データ形式に対応しないことを検知するステップをさらに含む。
【００５３】
幾つかの実施形態において、本方法に関する第１及び第２のマルチメディア・データ形式は、ＨＤＭＩ（商標）（高解像度マルチメディア・インターフェース）又はディスプレイポート・データ形式である。
【００５４】
幾つかの実施形態において、第１のマルチメディア・データ形式は３次元映像形式であり、第２のマルチメディア・データ形式は２次元マルチメディア・データ形式である。
【００５５】
幾つかの実施形態において、第１のマルチメディア・データ形式と第２のマルチメディア・データ形式は、色深度、クロック速度、又は画像解像度の点で異なる。
【００５６】
幾つかの実施形態において、装置が、第１のマルチメディア・データ形式の第１のデータストリームの受信を含む、マルチメディア・データの受信のための１つ又はそれ以上のポートと、提示のために第１のデータストリームを伝送するための第１の送信機と、第２のデータストリームを接続デバイスに伝送するための第２の送信機とを含み、第２のデータストリームは、受信した第１のデータストリームであるか、又は第２のマルチメディア・データ形式の、受信した第１のデータストリームの修正されたバージョンであり、本装置は、修正されたデータストリームを生成し、修正されたデータストリームの生成は、受信したデータストリーム内に置換データ部分を挿入するステップを含む。
【００５７】
幾つかの実施形態において、本装置は、置換映像データ部分を生成するための映像生成プログラムをさらに含む。幾つかの実施形態において、置換映像データ部分は、ダミー映像データである。幾つかの実施形態において、置換映像データ部分は、受信した第１のデータストリームの映像データの修正されたバージョンである。
【００５８】
幾つかの実施形態において、本装置は、第１の送信機及び第２の送信機に関するデータストリームを選択するためのマルチプレクサをさらに含む。
【００５９】
幾つかの実施形態において、本装置は、接続デバイスが第１のマルチメディア・データ形式に対応しないことを検知するように動作可能である。
【００６０】
幾つかの実施形態において、本装置に関する第１及び第２のマルチメディア・データ形式は、ＨＤＭＩ（商標）（高解像度マルチメディア・インターフェース）又はディスプレイポート・データ形式である。
【００６１】
幾つかの実施形態において、本装置に関する第１のマルチメディア・データ形式は３次元映像形式であり、第２のマルチメディア・データ形式は２次元マルチメディア・データ形式である。幾つかの実施形態において、本装置に関連する第１のマルチメディア・データ形式と第２のマルチメディア・データ形式は、色深度、クロック速度、又は画像解像度の点で異なる。
【００６２】
幾つかの実施形態において、装置の１つ又はそれ以上のポートは、取り付けられた音声データ・ソースからの音声データストリームを受信するためのポートを含み、第２のデータストリームは、音声データストリームの音声データを含む。
【００６３】
幾つかの実施形態において、マルチメディア・システムがマルチメディア・データ処理要素を含み、このマルチメディア・データ処理要素は、第１のマルチメディア・データ形式の第１のデータストリームの受信を含む、マルチメディア・データの受信のための１つ又はそれ以上のポートと、提示のために第１のデータストリームを伝送するための第１の送信機と、第２のデータストリームを接続デバイスに伝送するための第２の送信機とを含み、第２のデータストリームは、受信した第１のデータストリーム、又は第２のマルチメディア・データ形式の受信した第１のデータストリームの修正されたバージョンであり、装置は、修正されたデータストリームを生成し、修正されたデータストリームの生成は、受信したデータストリームに置換データ部分を挿入するステップを含み、置換データ部分を生成するためのデータ生成プログラムをさらに含む。
【００６４】
幾つかの実施形態において、本マルチメディア・システムは、第１のデータストリームの少なくとも一部を利用するデータ・デバイスをさらに含む。
【００６５】
幾つかの実施形態において、本マルチメディア・システムのデータ生成プログラムによって生成される置換データ部分は、ダミー・データである。
【００６６】
幾つかの実施形態において、本マルチメディア・システムのマルチメディア・データ処理要素は、接続デバイスが第１のマルチメディア・データ形式に対応しないことを検知するように動作することができる。
【００６７】
幾つかの実施形態において、本マルチメディア・システムに関する第１及び第２のマルチメディア・データ形式は、ＨＤＭＩ（商標）（高解像度マルチメディア・インターフェース）又はディスプレイポート・データ形式である。
【００６８】
幾つかの実施形態において、本マルチメディア・システムに関する第１のマルチメディア・データ形式は３次元映像形式であり、第２のマルチメディア・データ形式は２次元マルチメディア・データ形式である。幾つかの実施形態において、本マルチメディア・システムに関する第１のマルチメディア・データ形式と第２のマルチメディア・データ形式は、色深度、クロック速度、又は画像解像度の点で異なる。
【００６９】
幾つかの実施形態において、本マルチメディア・システムは、取り付けられた音声データ・ソースからの音声データストリームを受信するための１つ又はそれ以上のポートをさらに含み、マルチメディア・データ処理要素は、接続デバイスに伝送するために、音声データストリームからの音声データをデータストリームに挿入するようにさらに動作可能である。
【００７０】
幾つかの実施形態において、コンピュータ可読媒体が、プロセッサによって実行されるとき、プロセッサに、第１のデバイスにおいて第１のマルチメディア・データ形式のデータストリームを受信するステップと、受信したデータストリームに置換データ部分を挿入して第２のマルチメディア・データ形式の修正されたマルチメディア・データストリームを生成するステップと、修正されたデータストリームを第１のデバイスに結合された第２のデバイスに与えるステップとを含む動作を実行させる、一連の命令を表すデータを格納する。
【００７１】
幾つかの実施形態において、受信したデータストリームは映像部分と音声部分とを含み、コンピュータ可読媒体は、プロセッサによって実行されるとき、プロセッサに、置換映像又は音声データ部分と置き換えられる映像又は音声部分を除去するステップを含む動作を実行させる命令をさらに含む。
【００７２】
幾つかの実施形態において、コンピュータ可読媒体は、プロセッサによって実行されるとき、プロセッサに、置換データ部分を生成するステップを含む動作を実行させる命令をさらに含む。
【００７３】
幾つかの実施形態において、置換データ部分を生成するための命令は、ダミー・データを生成することを含む。
【００７４】
幾つかの実施形態において、コンピュータ可読媒体は、プロセッサによって実行されるとき、プロセッサに、第２のデバイスが第１のマルチメディア・データ形式に対応しないことを検知するステップを含む動作を実行させる命令をさらに含む。
【符号の説明】
【００７５】
１００：提示デバイス
１１０：マルチメディア・データ・プロセッサ装置又はシステム
１１５：データストリーム
１２０：データ・デバイス
１２５：置換映像部分を有するデータストリーム
１３０：接続デバイス
１５０：マルチメディア・データストリーム
２１０：ソース・デバイス
２１５、２３５：ＨＤＭＩ対応ケーブル
２２０：３Ｄデータストリーム
２３０：テレビジョン
２４０：修正されたＨＤＭＩデータストリーム
２５０：接続シンク・デバイス
２７０、２７５：無線リンク
３０５：ＨＤＭＩソース・デバイス
３１０：ＨＤＭＩ受信デバイス
３１５：ポート要素
３２０：ＨＤＭＩ受信機
３２５：内部生成ＨＤＭＩソース
３３０：マルチプレクサ
３３５：ＨＤＭＩ  Ｔｘ１送信機
３４０：ＨＤＭＩ  Ｔｘ２送信機
３５０：他のテレビジョン・コンポーネント
３５５：ディスプレイ・パネル
３６０：サウンド・バー又はＡＶ受信機
４７５：インターフェース
５０５：マルチメディア・データストリーム
５１０：メディア受信機
５１５：データ要素
５２０：他のデータ要素
５２５：データ生成プログラム
５３０：生成されたデータ
５３５：メディア送信機
５４０：修正されたメディア・データ
５４５：他のマルチメディア・データ
【図１】
0005916771.tif 000002
【図２】
0005916771.tif 000003
【図３】
0005916771.tif 000004
【図４】
0005916771.tif 000005
【図５】
0005916771.tif 000006
【図６】
0005916771.tif 000007